【事件の表示】
　特許第２９０６７７８号「シート給送装置」の特許に対する特許異議の申立てについて、次のとおり決定する。
【結　論】
　訂正を認める。
　特許第２９０６７７８号の請求項１ないし３に係る特許を維持する。
【理　由】
＜１＞　手続の経緯
　特許第２９０６７７８号に係る発明についての出願は、平成３年１０月１４日に特許出願され、平成１１年４月２日にその発明についての特許の設定登録がなされ、その後、その特許について、異議申立人、吉岡英樹より特許異議の申立がなされ、取消理由通知がなされ、その指定期間内である平成１２年５月３０日に訂正請求がなされたものである。
　
＜２＞　訂正の適否についての判断
（１）訂正事項
ａ．特許請求の範囲の請求項１の記載を
「昇降自在な底板（１１）上にシート（１０）を堆積収容し、シート位置決め手段によって堆積シート（１０）を基準壁面（３）側に整列させ、堆積シート（１０）の上部から順にシート（１０）を供給するシート給送装置において、前記シート位置決め手段は、前記基準壁面（３）に対向するシート収容壁（２）の上部側に作用部が設けられ、前記作用部における堆積シート（１０）の上部側の第一作用部にて前記基準壁面（３）側に付勢する比較的付勢力の弱い第一付勢手段（７）と、前記第一作用部の下方側の第二作用部にて堆積シート（１０）を前記基準壁面（３）側へ付勢する比較的付勢力の強い第二付勢手段（６）とを備え、前記第二付勢手段（６）の下方には、前記シート収容壁（２）の外側から内側に徐々に斜め上方に向かって延びている傾斜部を有することを特徴とするシート給送装置。」と訂正し、
ｂ．特許請求の範囲の請求項２の記載を
「請求項１記載のものにおいて、第一付勢手段（７）と第二付勢手段（６）とをシート（１）の上下方向に直交する供給方向に複数組設け、第一付勢手段（７）、第二付勢手段（６）夫々についてシート（１）の上下方向に対する作用位置を略同じに設定したことを特徴とするシート給送装置。」と訂正し、
ｃ．段落番号【０００９】【００１１】の内容を上記ａ．ｂ．の請求項の訂正に準じて訂正し、
ｄ．段落番号【００１５】の「矢印Ａ方向」を「矢印方向」と訂正し、
ｅ．段落番号【００１６】の「強付勢ばね７」を「弱付勢ばね７」と訂正し、
ｆ．段落番号【００１７】の「打つ勝つ」を「打ち勝つ」と訂正し、
ｇ．段落番号【００２０】【００２１】【００２２】【００２３】の「基準面３」を「基準壁面３」と訂正するものである。
（２）訂正の目的の適否、新規事項の有無及び拡張・変更の存否
　上記訂正事項ａ．は【００１６】【００１７】【００１８】の記載に基づいて、「第二付勢手段」の構成の態様を限定するものであるから、特許請求の範囲の減縮を目的とする訂正であり、新規事項の追加に該当せず、また、発明の目的を変更するものでもないから、実質的に特許請求の範囲を拡張又は変更するものではない。
　上記訂正事項ｂ．は【００１５】の記載に基づいて、複数組設ける態様について限定するものであるから、特許請求の範囲の減縮を目的とする訂正であり、新規事項の追加に該当せず、また、発明の目的を変更するものでもないから、実質的に特許請求の範囲を拡張又は変更するものではない。
　上記訂正事項ｃ．乃至ｇ．は、訂正事項ａ．およびｂ．の訂正に伴って、【発明の詳細な説明】の記載を【請求項】の記載に整合させたもの、あるいは、誤記を訂正するものであるから、明瞭でない記載の釈明又は誤記の訂正を目的とする訂正であり、新規事項の追加に該当せず、また、発明の目的を変更するものでもないから、実質的に特許請求の範囲を拡張又は変更するものではない。
（３）独立特許要件の判断
（３−１）請求項１乃至３に係る発明
　訂正明細書の請求項１乃至３に係る発明は、その特許請求の範囲の請求項１乃至３に記載された次のとおりのものである。
「【請求項１】昇降自在な底板（１１）上にシート（１０）を堆積収容し、シート位置決め手段によって堆積シート（１０）を基準壁面（３）側に整列させ、堆積シート（１０）の上部から順にシート（１０）を供給するシート給送装置において、前記シート位置決め手段は、前記基準壁面（３）に対向するシート収容壁（２）の上部側に作用部が設けられ、前記作用部における堆積シート（１０）の上部側の第一作用部にて前記基準壁面（３）側に付勢する比較的付勢力の弱い第一付勢手段（７）と、前記第一作用部の下方側の第二作用部にて堆積シート（１０）を前記基準壁面（３）側へ付勢する比較的付勢力の強い第二付勢手段（６）とを備え、前記第二付勢手段（６）の下方には、前記シート収容壁（２）の外側から内側に徐々に斜め上方に向かって延びている傾斜部を有することを特徴とするシート給送装置。
【請求項２】請求項１記載のものにおいて、第一付勢手段（７）と第二付勢手段（６）とをシート（１）の上下方向に直交する供給方向に複数組設け、第一付勢手段（７）、第二付勢手段（６）夫々についてシート（１）の上下方向に対する作用位置を略同じに設定したことを特徴とするシート給送装置。
【請求項３】　請求項１又は２記載のものにおいて、前記第一付勢手段（７）又は第二付勢手段（６）に貫通孔（１６）を設け、第一付勢手段（７）又は第二付勢手段（６）の一方が前記貫通孔（１６）を貫くように交差させ、前記第一付勢手段（７）及び第二付勢手段（６）のシート（１０）の上下方向に直交する供給方向に対する作用位置を略同じに設定したことを特徴とするシート給送装置。」
（３−２）引用例の記載
　これに対して、当審において取消理由で引用した特開昭６２−１２１１４２号公報（以下「引用例」という。）には、図面の記載とともに、下記の事項が記載されている。
(a)「積載されたシート材を上位のものから順次分離して給送する給送手段と、上記給送手段の給送方向下流側に位置し給送手段から重送されて来た余分なシート材を給送方向上流側に向けて逆送する重送防止手段と、積載されたシート材のうち最上位近傍のシート材は弱く押圧し最上位近傍以外のシート材は強く押圧する側方規制手段と、を有することを特徴とするシート材の給送装置。」（特許請求の範囲第１項）
(b)「カセット１００の給送側先端部、即ち第１図の左上部分には、側方規制手段である第１押圧ガイド１０６と第２押圧ガイド１０７が設けられている。第１押圧ガイド１０６は第１押圧ばね１０８に、第２押圧ガイド１０７は第２押圧ばね１０９によって夫々カセット内側に向けて付勢されており、両押圧ガイドの転写材を押圧する面１０６ａと１０７ａは、規制板１０３より若干内側に出ている。この状態で両押圧ガイドの内側への押圧力は、第１押圧ガイド１０６が２００〜３００ｇ、第２押圧ガイド１０７は２０ｇ以下に調整されている。」（第４頁左上欄第６〜１７行）
(c)「第９図（ａ）に示す横断面図の如く、上部を柔かいスポンジ１０７ｂによって付勢された第２押圧面１０７ａ、下部を第１押圧面１０６ａとした押圧ガイドでも良い。また第９図（ｂ）の横断面図の如く、上部が転写材側端部から僅かに退避して弱い押圧力を与える第２押圧面１０７ａを形成し、その下部が強い押圧力を与える第１押圧面１０６ａを形成した押圧ガイドでも、前述した実施例と同様の効果が得られる。」（第５頁右上欄第１５行〜左下欄第３行）
（３−３）対比・判断
（３−３−１）請求項１に係る発明について
　ここで、訂正明細書の請求項１に係る発明（以下、「本件発明１」という。）と上記引用例に記載された発明（以下、「引用発明」という。）を対比すると、引用発明における上記(b)の「第１押圧ガイド」はシート材を強い付勢力でカセット内側に向けて押圧するものであって、本件発明１の「第二付勢手段」に相当し、「第２押圧ガイド」はシート材を弱い付勢力でカセット内側に向けて押圧するものであって、本件発明１の「第一付勢手段」に相当している。そして、上記(a)の記載、図面等を参照すれば、「第２押圧ガイド」が「第１押圧ガイド」の上方に配置されており、この位置関係は、本願発明１において「第一付勢手段」が「第二付勢手段」の上方に配置されていることと一致している。
　したがって、両者は、
「昇降自在な底板上にシートを堆積収容し、シート位置決め手段によって堆積シートを基準壁面側に整列させ、堆積シートの上部から順にシートを供給するシート給送装置において、前記シート位置決め手段は、前記基準壁面に対向するシート収容壁の上部側に作用部が設けられ、前記作用部における堆積シートの上部側の第一作用部にて前記基準壁面側に付勢する比較的付勢力の弱い第一付勢手段と、前記第一作用部の下方側の第二作用部にて堆積シートを前記基準壁面側へ付勢する比較的付勢力の強い第二付勢手段とを備え」ている構成を有するところまでは一致している。
　これに対して、本件発明１においては、「第二付勢手段の下方には、シート収容壁の外側から内側に徐々に斜め上方に向かって延びている傾斜部を有する」という構成を有しているのに対し、引用発明においては、「第１押圧ガイド」はそのような「傾斜部」を有していない点で両者は相違している。
　そして、本件発明１は、この「第二付勢手段の下方には、シート収容壁の外側から内側に徐々に斜め上方に向かって延びている傾斜部を有する」という構成によって、第２付勢手段は堆積シートの上部のみで作用することになるから、シート側方位置決めに要する付勢力をある程度小さく設定することが可能となり、また、位置決め性も向上できるという実用上優れた効果を奏するものである。よって、この相違点に関する特定は当業者が容易に想到し得た事項であるということはできない。
　すなわち、本件発明１は、上記引用発明に基づいて当業者が容易になし得た発明であるということはできない。
　また、他に本件発明１に係る特許を取り消すべき理由を発見できない。
　したがって、本件発明１は特許出願の際独立して特許を受けることができるものである。
（３−３−２）請求項２および３に係る発明
　請求項２および３に係る発明は、請求項１を引用してさらに限定を加えた発明であるから、請求項１に係る発明が特許出願の際独立して特許を受けることができるものである以上、本件請求項２および３に係る発明は特許出願の際独立して特許を受けることができるものであるということができる。
（３−４）むすび
　以上のとおりであるから、上記訂正は、特許法第１２０条の４第２項及び同条第３項で準用する第１２６条第２−４項の規定に適合するので、当該訂正を認める。
　
＜３＞　特許異議の申立てについての判断
（１）申立ての理由の概要
　申立人、吉岡英樹は、本件の請求項１乃至３に係る発明は、甲第１号証（特開昭６２−１２１１４２号公報；上記引用例と同じ）に記載された発明に基づいて当業者が容易に発明をすることができたものであるから、特許法第２９条第２項の規定により特許を受けることができないものであり、特許を取り消すべき旨を主張している。
（２）判断
　本件の請求項１乃至３に係る発明は、上記＜２＞（３）で示したように、甲第１号証に記載された発明に基づいて当業者が容易に発明をすることができたものということはできないから、申立人の主張を採用することはできない。
（３）むすび
　以上のとおりであるから、特許異議申立ての理由及び証拠によっては、本件請求項１乃至３に係る発明の特許を取り消すことはできない。
　また、他に本件請求項１乃至３に係る特許を取り消すべき理由を発見しない。
　よって、結論のとおり決定する。
【異議決定日】
平成１２年６月２２日（２０００．６．２２）
【訂正の要旨】
訂正事項
ａ．特許請求の範囲の請求項１の記載を、特許請求の範囲の減縮を目的として、
「昇降自在な底板（１１）上にシート（１０）を堆積収容し、シート位置決め手段によって堆積シート（１０）を基準壁面（３）側に整列させ、堆積シート（１０）の上部から順にシート（１０）を供給するシート給送装置において、前記シート位置決め手段は、前記基準壁面（３）に対向するシート収容壁（２）の上部側に作用部が設けられ、前記作用部における堆積シート（１０）の上部側の第一作用部にて前記基準壁面（３）側に付勢する比較的付勢力の弱い第一付勢手段（７）と、前記第一作用部の下方側の第二作用部にて堆積シート（１０）を前記基準壁面（３）側へ付勢する比較的付勢力の強い第二付勢手段（６）とを備え、前記第二付勢手段（６）の下方には、前記シート収容壁（２）の外側から内側に徐々に斜め上方に向かって延びている傾斜部を有することを特徴とするシート給送装置。」と訂正し、
ｂ．特許請求の範囲の請求項２の記載を、特許請求の範囲の減縮を目的として、
「請求項１記載のものにおいて、第一付勢手段（７）と第二付勢手段（６）とをシート（１）の上下方向に直交する供給方向に複数組設け、第一付勢手段（７）、第二付勢手段（６）夫々についてシート（１）の上下方向に対する作用位置を略同じに設定したことを特徴とするシート給送装置。」と訂正し、
ｃ．段落番号【０００９】【００１１】の内容を、明瞭でない記載の釈明を目的として、
上記ａ．ｂ．の請求項の訂正に準じて訂正し、
ｄ．誤記の訂正を目的として、段落番号【００１５】の「矢印Ａ方向」を「矢印方向」と
訂正し、
ｅ．誤記の訂正を目的として、段落番号【００１６】の「強付勢ばね７」を「弱付勢ばね７」と訂正し、
ｆ．誤記の訂正を目的として、段落番号【００１７】の「打つ勝つ」を「打ち勝つ」と訂正し、
ｇ．明瞭でない記載の釈明を目的として、段落番号【００２０】【００２１】【００２２】【００２３】の「基準面３」を「基準壁面３」と訂正するものである。
（５４）【発明の名称】
シート給送装置
（５７）【特許請求の範囲】
　　【請求項１】　昇降自在な底板（１１）上にシート（１０）を堆積収容し、シート位置決め手段によって堆積シート（１０）を基準壁面（３）側に整列させ、堆積シート（１０）の上部から順にシート（１０）を供給するシート給送装置において、前記シート位置決め手段は、前記基準壁面（３）に対向するシート収容壁（２）の上部側に作用部が設けられ、
前記作用部における
の第一作用部にて
前記第一作用部の
の第二作用部にて
備え、
　前記第二付勢手段（６）の下方には、前記シート収容壁（２）の外側から内側に徐々に斜め上方に向かって延びている傾斜部を有する
　　【請求項２】　請求項１記載のものにおいて、第一付勢手段（７）と第二付勢手段（６）と
をシート（１）の上下方向に直交する供給方向に複数組設け、第一付勢手段（７）、第二付勢手段（６）夫々についてシート（１）の上下方向に対する作用位置を略同じに設定したことを
　　【請求項３】請求項１又は２記載のものにおいて、前記第一付勢手段（７）又は第二付勢手段（６）に貫通孔（１６）を設け、第一付勢手段（７）又は第二付勢手段（６）の一方が前記貫通孔（１６）を貫くように交差させ、前記第一付勢手段（７）及び第二付勢手段（６）のシート（１０）の上下方向に直交する供給方向に対する作用位置を略同じに設定したことを特徴とするシート給送装置。
【発明の詳細な説明】
　　　【０００１】
　　【産業上の利用分野】
　この発明は、複写機、プリンタ等の記録装置に用紙等のシートを供給するシ
ート給送装置に係り、特に、シート収容量の大きなタイプのシート給送装置の改良に関する。
　　　【０００２】
　　【従来の技術】
　従来における用紙給送装置として例えば用紙サイズ毎に用紙収容位置を可変設定するタイプを例に挙げると、用紙収容カセット内に用紙サイズ規制部材を設け、この用紙サイズ規制部材によって所定サイズの用紙の収容スペースを適宜区画するようにしているが、この用紙サイズ規制部材は、用紙の製造時のばらつき（ＪＩＳ等の規格によれば各用紙寸法に例えば３ｍｍ程度の誤差を許容している）や含水等による用紙の伸縮を考慮し、用紙の規定サイズよりも大きめな位置にセットされるようになっている。尚、用紙サイズに対応した用紙収容スペースが予め固定的に定められた専用の用紙収容カセットを有するタイプにあっても、用紙収容スペースは上述した観点から用紙の規定サイズよりも大きめに設定されている。
　　　【０００３】
　このため、規定サイズよりも小さめの用紙を用紙収容カセット内に収容する場合には、必然的に収容用紙にがたつきが生じてしまい、その分、収容用紙位置がばらつき、例えば記録画像位置が供給用紙の幅方向に対してずれてしまう所謂サイドレジストレーションずれという事態を生ずるばかりか、用紙のスキュー、さらには用紙詰まり（ジャム）に繋がる虞れもある。
　　　【０００４】
　このような事態を解決するために、従来にあっては、用紙収容カセット内の収容用紙を位置決めすることが必要になり、従来におけるこの種の位置決め機構としては、例えば実公昭５９−２５７８６号公報に示されるように、用紙収容カセット内の用紙サイズ規制部材に内部に傾斜した弾性部片を設け、この弾性部片の付勢力によって用紙サイズ規制部材と反対側の基準壁面側に収容用紙を整列させるようにしたものが既に提供されている。
　　　【０００５】
　尚、従来この種の用紙給送装置のうち収容用紙量が大量の大容量タイプにあっては、通常、昇降板の上に用紙を収容載置し、この昇降板の上昇に伴って収容用紙の上部から順に用紙を供給する手法が採用されている。
　　　　【０００６】
　　【発明が解決しようとする課題】
　ところで、従来の用紙給送装置のうち比較的用紙収容量が少ないタイプにあっては特に問題ないが、大容量タイプの用紙給送装置にあっては、用紙枚数、用紙厚さ等により収容用紙の位置決めが不完全になるという技術的課題が見出された。
　　　【０００７】
　すなわち、大容量の用紙給送装置にあっては、上述した弾性部片の弾性付勢力を最大用紙収容量を考慮して設定すると、その弾性付勢力がかなり大きなものになり、その分、薄めの用紙が少なくなってきた場合には、必然的に弾性部片に当接する用紙が不必要に変形してしまうという事態を生ずる一方、弾性部片の弾性付勢力をある程度弱めに設定すると、収容用紙が多い場合に、弾性部片によって用紙位置を実質的に規制することができないという事態を生ずる。
　　　【０００８】
　この発明は、以上の技術的課題を解決するためになされたものであって、大容量タイプであっても、収容シートを正確に位置決めすることができるシート給送装置を提供するものである。
　　　【０００９】
　　【課題を解決するための手段】
　すなわち、この発明は、昇降自在な底板上にシートを堆積収容し、シート位置決め手段によって堆積シートを基準壁面側に整列させ、堆積シートの上部から順にシートを供給するシート給送装置を前提とし、前記シート位置決め手段には、前記基準壁面に対向するシート収容壁の上部側に作用部が設けられ、
前記作用部における
の第一作用部にて
前記第一作用部の
の第二作用部にて
備え、前記第二付勢手段の下方には、前記シート収容壁の外側から内側に徐々に斜め上方に向かって延びている傾斜部を有することを特徴とする。
　　　【００１０】
　このような技術的手段において、上記昇降自在な底板としては、平行に上下動するものであってもよいし、また、回動支点を中心として揺動するようにしてもよい。また、上記シート収容壁は可動タイプであっても、固定タイプであってもよい。
　　　【００１１】
　また、第一付勢手段および第二付勢手段の数、構造等については収容シートの位置決めを可能とする範囲で適宜設計変更して差し支えないが、シート供給側近傍に少なくとも１組設けるようにすることが必要である。
　
ここで、第一付勢手段と第二付勢手段とをシートの上下方向に直交する供給方向に複数組設ける場合には、第一付勢手段、第二付勢手段夫々についてシートの上下方向に対する作用位置を略同じに設定するようにすればよい。
　　　【００１２】
　更に、第二付勢手段によるシートの移動を無駄にすることなく第一付勢手段によるシートの移動へ移行させるには、第一付勢手段及び第二付勢手段のシートの上下方向に直交する供給方向に対する作用位置を略同じに設定することが好ましく、例えば、前記第一付勢手段又は第二付勢手段に貫通孔を設け、第一付勢手段又は第二付勢手段の一方が前記貫通孔を貫くように交差させ、前記第一付勢手段及び第二付勢手段のシートの上下方向に直交する供給方向に対する作用位置を略同じに設定するようにすればよい。
　　　【００１３】
　　【作用】
　上述したような技術的手段によれば、前記底板の上昇移動に伴って第二付勢手段がその比較的強い弾性付勢力によって収容シート全体を基準壁面側へ整列させ、前記基準壁面に沿って整列した収容シートの上部がシート供給位置に達すると、当該収容シートの上部は第一付勢手段の弱い弾性付勢力によって前記基準壁面側へ付勢される。
　このため、シート収容量に拘わらず、収容シートの最初から最後まで収容シートは前記基準壁面位置に正確に位置決めされる。
　　　【００１４】
　　【実施例】
　以下、添付図面に示す実施例に基づいてこの発明を詳細に説明する。
　図１は、この発明が適用された大容量用紙給送装置の一実施例の内部構成を示す斜視図である。
　　　【００１５】
　同図において、大容量用紙給送装置１は、
矢印方向
　　　【００１６】
　図２，図３はこの実施例に係る強付勢ばね６，
弱
　同図において、ストック用紙１０が用紙給送装置の昇降板１１に載置され、記録装置への給紙に伴い昇降板１１は上方へ略平行に移動する。サイドガイド２には、ばね６，７を用紙１０に押し付けるための開口部１２が設けられ、スペーサ１３を介してばね６，７がサイドガイド２に取り付けられている。スペーサ１３は、サイドガイド２の開口部１２からばね６，７が側方に飛び出す量を規制する部材である。
　　　【００１７】
　この実施例において、強付勢ばね６は、大きい用紙抵抗に
打ち
　　　【００１８】
　また、弱付勢ばね７は、強付勢ばね６に接触した直後の用紙１０の抵抗に打ち勝つための小さなばね定数（この実施例では例えば６〜２０ｇｆの間で選択）を有している。そして、この弱付勢ばね７は、強付勢ばね６に接触した直後の用紙１０に接触するものであるため、強付勢ばね６の傾斜部分１７の貫通孔１６を外側から内側に向かって斜めに延びる傾斜部分２２を有し、この傾斜部分２２の先端に鉛直線に対して僅かに所定の傾斜をもった縦壁部分２０を形成し、この縦壁部分２０を上限用紙位置線２５のレベルに配置することにより用紙１０との接触押圧面を構成するようになっている。更に、弱付勢ばね７の縦壁部分２０の上端には強付勢ばね６の貫通孔１８を通り抜けてサイドガイド２の外側に延びた延長部分２１が形成されている。
　　　【００１９】
　また、開口部１２からのばね６，７の突出量は上記スペーサ１３によって次のようになっている。
　すなわち、弱付勢ばね７の縦壁部分２０の最内方点は無負荷時、用紙の許容量の最小値Ｄだけサイドガイド２から内方に隔てており、強付勢ばね６の傾斜部分１５と部分１７との交差点は、無負荷時弱付勢ばね７の部分２０の最内方点よりさらに用紙１０側に位置するもので、負荷時弱付勢ばね７の部分２０の上記最内方点から外側にＥだけサイドガイド２寄りになっている。
　　　【００２０】
　次に、この実施例に係る用紙給送装置の作動、特に用紙の整合作動を図４〜図８に基づいて説明する。尚、図４〜図８のばね６，７の構成は要部のみを示している。
　図４，５において、昇降板１１の上昇に伴いサイドガイド２と側方基準
壁
壁
　　　【００２１】
　このとき、ストック用紙１０の量が多いときには、図６に示すように、強付勢ばね６によって押圧された用紙１０は水平状態を保ったまま順次側方基準
壁
　　　【００２２】
　この後、更に、上記昇降板１１が上昇し、上記用紙１０の上部側が弱付勢ばね７部分に到達すると、弱付勢ばね７によって用紙１０の上部側が付勢されるが、弱付勢ばね７の付勢力が強付勢ばね６の付勢力に比べて弱いため、量の多いストック用紙１０はそのまま水平状態を保ちながら側方基準
壁
壁
　　　【００２３】
　すなわち、強付勢ばね６によるストック用紙１０の付勢においては、ストック用紙１０は部分的な塊全体として側方基準
壁
壁
壁面３
壁
　　　【００２４】
　　【発明の効果】
　以上説明してきたように、この発明によれば、底板の上昇移動に伴って第二付勢手段の強付勢力にて収容シートを基準壁面に整列させ、シート供給位置に達した収容シートを第一付勢手段の弱付勢力にて基準壁面側へ整列させるようにしたので、シート収容量に拘らず、シート供給位置に達したシートをループ状に変形させることなく正確に位置決めすることができ、シートに対する画像記録位置を常時良好に保つことができるばかりか、シートの位置ずれから生ずるシートのスキュー、さらにはシートの詰まり事故をも有効に防止することができる。
【図面の簡単な説明】
　　【図１】　この発明が適用される用紙給送装置の一実施例を示す斜視図である。
　　【図２】実施例に係る第一付勢手段及び第二付勢手段の詳細を示す断面図である。
　　【図３】実施例に係る第一付勢手段及び第二付勢手段の詳細を示す斜視図である。
　　【図４】実施例に係る用紙給送装置の用紙の位置決め前の状態を示す説明図である。
　　【図５】実施例に係る用紙給送装置の用紙位置決め動作の第一過程を示す説明図である。
　　【図６】実施例に係る用紙給送装置の用紙位置決め動作の第二過程を示す説明図である。
　　【図７】実施例に係る用紙給送装置において用紙が減少した場合の用紙位置決め動作の第二過程を示す説明図である。
　　【図８】実施例に係る用紙給送装置の用紙位置決め動作の第三過程を示す説明図である。
　　【符号の説明】
　１：用紙給送装置，２：サイドガイド，３：基準壁面，６：強付勢ばね，７：弱付勢ばね，１０：用紙，１１：昇降板